(57)【要約】  電動送風機（２０）を内装して本体カバー（４ａ）により覆われる本体部（４）と、本体部（４）の上方に配されて使用者により把持される把持部（８）と、吸込口を有して本体部（４）の下方に配される吸込口体（５）と、電動送風機（２０）の排気が流通する排気経路と、電動送風機（２０）の駆動を制御するとともに該排気経路に配される制御基板（３０）と、電動送風機（２０）の回転軸を鉛直方向に配置するとともに電動送風機（２０）及び制御基板（３０）を保持するハウジング（２３）とを備えた。
2011070909.tif 000002
【特許請求の範囲】
【請求項１】
電動送風機を内装して本体カバーにより覆われる本体部と、前記本体部の上方に配されて使用者により把持される把持部と、吸込口を有して前記本体部の下方に配される吸込口体と、前記電動送風機の排気が流通する排気経路と、前記電動送風機の駆動を制御するとともに前記排気経路に配される制御基板と、前記電動送風機の回転軸を鉛直方向に配置するとともに前記電動送風機及び前記制御基板を保持するハウジングとを備えたことを特徴とする縦型電気掃除機。
【請求項２】
前記排気経路は前記本体部の一方の側面に排気口を開口し、前記電動送風機の排気を前記排気口に対向する側面に沿って流通させた後に前記排気口に導くことを特徴とする請求項１に記載の縦型電気掃除機。
【請求項３】
前記ハウジングは前記電動送風機を覆う筒状部と、前記筒状部から前記排気口に対向する側面に沿って延びるとともに前記制御基板を収納する基板収納部とを有することを特徴とする請求項２に記載の縦型電気掃除機。
【請求項４】
前記ハウジングから前記制御基板上の回路に接続可能な端子部が露出するとともに、前記本体カバーの一部が前記端子部に対向して着脱自在に形成されることを特徴とする請求項３に記載の縦型電気掃除機。
【請求項５】
前記本体部の後部に立設される連通管を介して前記電動送風機に連通する可撓性の接続パイプと、前記接続パイプの先端に接続されるとともに前記連通管の前方に設けた収納管に着脱自在に収納される延長パイプとを備え、前記排気経路が前記連通管と前記収納管との間に形成されることを特徴とする請求項２に記載の縦型電気掃除機。
【発明の詳細な説明】
【技術分野】
【０００１】
本発明は、電動送風機及び制御基板を内装する本体部の上方に把持部が設けられる縦型電気掃除機に関する。
【背景技術】
【０００２】
従来の縦型電気掃除機は特許文献１に開示されている。この縦型電気掃除機は電動送風機を内装する本体部を有し、本体部内の電動送風機の下流側に集塵室が形成される。本体部の上端部には電動送風機の駆動を制御する制御基板が設けられる。本体部の下方には被掃除面に対峙する吸込口を開口した吸込口体が本体部と一体に設けられる。本体部の上方には使用者が把持する把持部が設けられる。把持部はパイプを介して本体部に対して伸縮自在に形成され、任意の高さに保持することができる。【０００３】
使用者が把持部を把持して本体部と一体の吸込口体が被掃除面上を移動し、電動送風機の駆動によって被掃除面の塵埃を含む空気が吸込口から吸い込まれる。吸込口から吸い込まれた空気は集塵室で塵埃が捕集される。塵埃が除去された空気は電動送風機を通過し、排気経路を介して本体部外に排気される。
【先行技術文献】
【特許文献】
【０００４】
【特許文献１】特許第３０４７５３１号公報（第２頁−第３頁、第２図）
【発明の概要】
【発明が解決しようとする課題】
【０００５】
近年、縦型電気掃除機の電動送風機は被掃除面の状態等に応じて駆動が可変され、複雑な制御が行われる。このため、上記従来の縦型電気掃除機によると、制御基板の発熱が大きくなる問題があった。また、把持部が本体部の上方に近設されるため制御基板の発熱による熱気が把持部を把持する使用者の手指に当たり、使用者の不快感が大きくなる問題もあった。【０００６】
本発明は、制御基板の発熱及び使用者の不快感を低減できる縦型電気掃除機を提供することを目的とする。
【課題を解決するための手段】
【０００７】
上記目的を達成するために本発明は、電動送風機を内装して本体カバーにより覆われる本体部と、前記本体部の上方に配されて使用者により把持される把持部と、吸込口を有して前記本体部の下方に配される吸込口体と、前記電動送風機の排気が流通する排気経路と、前記電動送風機の駆動を制御するとともに前記排気経路に配される制御基板と、前記電動送風機の回転軸を鉛直方向に配置するとともに前記電動送風機及び前記制御基板を保持するハウジングとを備えたことを特徴としている。【０００８】
この構成によると、使用者が把持部を把持して本体部と一体の吸込口体が被掃除面上を移動する。電動送風機が制御基板の制御により駆動されると、被掃除面の塵埃を含む空気が吸込口から吸い込まれる。吸込口から吸い込まれた空気は本体部内で集塵される。塵埃が除去された空気は電動送風機を通過し、排気経路を介して本体部外に排気される。この時、排気経路を流通する気流によって制御基板が冷却される。【０００９】
また本発明は、上記構成の縦型電気掃除機において、前記排気経路は前記本体部の一方の側面に排気口を開口し、前記電動送風機の排気を前記排気口に対向する側面に沿って流通させた後に前記排気口に導くことを特徴としている。この構成によると、電動送風機の排気は本体部の両側面の間を水平方向に流通して一方の側面に設けた排気口から本体部外に排気される。【００１０】
また本発明は、上記構成の縦型電気掃除機において、前記ハウジングは前記電動送風機を覆う筒状部と、前記筒状部から前記排気口に対向する側面に沿って延びるとともに前記制御基板を収納する基板収納部とを有することを特徴としている。【００１１】
この構成によると、電動送風機の周面から放射状に流出する空気は筒状部から基板収納部に流入し、排気口に対向する側面に沿って流通する。そして、該空気は基板収納部に配された制御基板を冷却した後に基板収納部から流出して排気口から本体部外に排気される。【００１２】
また本発明は、上記構成の縦型電気掃除機において、前記ハウジングから前記制御基板上の回路に接続可能な端子部が露出するとともに、前記本体カバーの一部が前記端子部に対向して着脱自在に形成されることを特徴としている。この構成によると、本体カバーの一部を脱着し、ハウジングから露出する端子部に所定の機器を接続して制御基板のＲＯＭの書き換え等が行われる。【００１３】
また本発明は、上記構成の縦型電気掃除機において、前記本体部の後部に立設される連通管を介して前記電動送風機に連通する可撓性の接続パイプと、前記接続パイプの先端に接続されるとともに前記連通管の前方に設けた収納管に着脱自在に収納される延長パイプとを備え、前記排気経路が前記連通管と前記収納管との間に形成されることを特徴としている。【００１４】
この構成によると、本体部に設けた収納管から取り出された延長パイプの先端から被掃除面の塵埃を含む空気が吸い込まれる。延長パイプを流通する気流は接続パイプ及び連結管を流通し、集塵された後に電動送風機に導かれる。電動送風機の排気は制御基板を冷却し、連通管と収納管の間を通って排気口から本体部外に排気される。
【発明の効果】
【００１５】
本発明によると、電動送風機の排気経路に制御基板を配したので、電動送風機の排気によって制御基板が冷却される。従って、制御基板の発熱を低減することができる。また、本体部の上方に配される把持部を把持した使用者に対して制御基板の発熱による不快感を低減することができる。
【図面の簡単な説明】
【００１６】
【図１】本発明の実施形態の電気掃除機を示す斜視図
【図２】本発明の実施形態の電気掃除機の把手を把持した状態を示す斜視図
【図３】本発明の実施形態の電気掃除機の本体部を示す上面断面図
【図４】本発明の実施形態の電気掃除機の本体部を示す背面断面図
【発明を実施するための形態】
【００１７】
以下に本発明の実施形態を図面を参照して説明する。図１は一実施形態の縦型電気掃除機を示す斜視図である。縦型電気掃除機１は電動送風機２０（図３参照）を内装する本体部４の下方に吸込口体５が一体に設けられる。吸込口体５の底面には被掃除面に対峙する吸込口（不図示）が開口する。本体部４の下部には着脱自在の集塵容器９が設けられる。
【００１８】
本体部４は樹脂成形品から成る本体カバー４ａで覆われ、本体カバー４ａの後部の一側面には排気口１１が形成される。また、本体カバー４ａの背面側の上部には電源コード（不図示）が引き出される凹部１０が凹設される。本体カバー４ａの上部には把手４ｃ（把持部）が形成される。図２に示すように、使用者が把手４ｃを把持して本体部４を持ち上げ、縦型電気掃除機１を持ち運ぶことができる。
【００１９】
本体部４の上方にはボタン１２の操作により着脱自在の延長パイプ６が鉛直方向に延びて配される。延長パイプ６の上端には使用者が把持するハンドル８（把持部）が設けられる。延長パイプ６の背面側の上部と本体部４との間は可撓性の伸縮自在の接続ホース７で連結される。
【００２０】
図３、図４は本体部４の上面断面図及び背面断面図を示している。電動送風機２０は上方に配されるファンモータ２１と下方に配される羽根車２２とを有し、軸方向を鉛直にして設置される。電動送風機２０は下方に配された集塵容器９の空気流出側に連結され、集塵容器９の空気流入側は吸込口体５の吸込口に連通する。
【００２１】
電動送風機２０は樹脂成形品から成るハウジング２３により保持される。ハウジング２３は電動送風機２０を覆う円筒状の筒状部２４と、筒状部２４から延出される基板収納部２５とを有している。本体カバー４ａは排気口１１に対向する他側面に着脱自在の開閉カバー４ｂが設けられる。基板収納部２５は筒状部２４から開閉カバー４ｂに沿って周接線方向に延び、排気口１１に面した開口部２５ａと開閉カバー４ｂに対向する窓部２５ｂとが開口する。
【００２２】
基板収納部２５内には開口部２５ａに面して電動送風機２０の駆動を制御する制御基板３０が立設して保持される。これにより、制御基板３０と電動送風機２０とがハウジング２３により一体化され、縦型電気掃除機１の組立て時の作業性を向上することができる。
【００２３】
また、制御基板３０上の回路に接続可能な端子部（不図示）が窓部２５ｂに面して配される。開閉カバー４ｂを取り外して窓部２５ｂから露出する端子部に所定の機器を接続して、制御基板３０のＲＯＭの書き換え等を容易に行うことができる。
【００２４】
電動送風機２０の後方には延長パイプ６を収納する有底筒状の収納管３１が立設される。延長パイプ６の収納時に収納管３１の上面の開口部が密閉されるようになっている。収納管３１の後方には接続ホース７が接続される連結管３２が立設される。連結管３２は集塵容器９の空気流入側に連結される。また、ハウジング２３の開口部２５ａは連結管３２と収納管３１との間に臨んで配置される。
【００２５】
上記構成の縦型電気掃除機１において、延長パイプ６を収納管３１に収納した状態で電動送風機２０が駆動され、使用者によりハンドル８を把持して吸込口５が本体部４と一体に被掃除面上を移動する。これにより、吸込口体５の吸込口から塵埃とともに空気が吸い込まれる。吸込口から吸い込まれた空気は集塵容器９に導かれて集塵される。塵埃が除去された空気は電動送風機２０のファンモータ２１の周面から矢印Ａ１（図４参照）に示すようにハウジング２３の筒状部２４内に排気される。
【００２６】
電動送風機２０から排気された空気は基板収納部２５に流入し、矢印Ａ２（図３参照）に示すように本体部４の排気口１１に対向する側面に沿って流通する。基板収納部２５を流通する空気は制御基板３０を冷却して矢印Ａ３（図３参照）に示すように開口部２５ａを介して基板収納部２５から流出する。基板収納部２５から流出した空気は本体部４内の連通管３２と収納管３１との間を流通し、排気口１１から本体部４外に排気される。従って、排気口１１と開口部２５ａとの間の本体部４内及びハウジング２３内に電動送風機２０の排気が流通する排気経路が形成される。これにより、被掃除面の掃除が行われる。
【００２７】
尚、基板収納部２５に流入した空気の一部は窓部２５ｂから流出し、ハウジング２３の外面に沿って流通して排気口１１に導かれる。窓部２５ｂを開閉する蓋を設けて窓部２５ｂからの空気の流出を防止してもよい。
【００２８】
また、ハンドル８を把持して延長パイプ６を収納管３１から取り外した状態で電動送風機２０が駆動されると、延長パイプ６の先端から塵埃とともに空気が吸い込まれる。延長パイプ６から吸い込まれた空気は接続ホース７及び連通管３２を流通し、集塵容器９で集塵される。塵埃が除去された空気は電動送風機２０を介して上記と同様に排気経路を流通し、排気口１１から本体部４外に排気される。これにより、室内の天井面や家具の隙間等の掃除を行うことができる。
【００２９】
本実施形態によると、電動送風機２０の排気経路に制御基板３０を配したので、電動送風機２０の排気によって制御基板３０が冷却される。従って、制御基板３０の発熱を低減することができる。また、本体部４の上方に配されたハンドル８や把手４ｃにより形成される把持部を把持した使用者に対して制御基板３０の発熱による不快感を低減することができる。
【００３０】
また、電動送風機２０の排気経路が本体部４の一方の側面に排気口１１を開口し、電動送風機２０の排気を排気口１１に対向する側面に沿って流通させた後に排気口１１に導くので、排気経路を長く形成することができる。従って、本体部４から漏れる電動送風機２０の騒音を低減することができる。
【００３１】
また、電動送風機２０の回転軸を鉛直方向に配置し、ハウジング２３が電動送風機２０を覆う筒状部２４と、筒状部２４から排気口１１に対向する側面に沿って延びて制御基板３０を収納する基板収納部２５とを有するので、電動送風機２０の排気を簡単に排気口１１に対向する側面に沿って流通させることができる。加えて、制御基板３０と電動送風機２０とが一体化され、縦型電気掃除機１の組立て時の作業性を向上することができる。
【００３２】
また、ハウジング２３から制御基板３０上の回路に接続可能な端子部が露出し、本体カバー４ａの一部（開閉カバー４ｂ）が端子部に対向して着脱自在に形成されるので、開閉カバー４ｂを取り外して窓部２５ｂから露出する端子部に所定の機器を接続することができる。従って、制御基板３０のＲＯＭの書き換え等を容易に行うことができる。
【００３３】
また、本体部４の後部に立設される連通管３２と連通管３２の前方に設けた収納管３１との間に電動送風機２０の排気経路が形成されるので、本体部４内のデッドスペースを利用して長い排気経路を形成することができる。従って、縦型電気掃除機１の小型化を図ることができる。
【産業上の利用可能性】
【００３４】
本発明によると、電動送風機及び制御基板を内装する本体部の上方に把持部が設けられる縦型電気掃除機に利用することができる。
【符号の説明】
【００３５】
１    縦型電気掃除機
４    本体部
４ａ  本体カバー
４ｂ  開閉カバー
４ｃ  把手
５    吸込口体
６    延長パイプ
７    接続ホース
８    ハンドル
９    集塵容器
１１    排気口
２０    電動送風機
２１    ファンモータ
２２    羽根車
２３    ハウジング
２４    筒状部
２５    基板収納部
２５ａ  開口部
２５ｂ  窓部
３０    制御基板
３１    収納管
３２    連通管
【図１】
2011070909.tif 000003
【図２】
2011070909.tif 000004
【図３】
2011070909.tif 000005
【図４】
2011070909.tif 000006
【国際調査報告】
2011070909.tif 000007
2011070909.tif 000008